(57)【要約】【課題】音声により監視装置と通話可能または監視装置を制御可能な照明制御監視システムを提供する。【解決手段】監視装置３および汎用ネットワーク９に着脱可能に接続されるパーソナルコンピュータ４は、音声を入力する音声入力部１８、音声入力部１８に入力された音声の音声データをＶｏＩＰプロトコルにより汎用ネットワーク９に出力する音声データ出力部１５、汎用ネットワーク９からＶｏＩＰプロトコルによる音声データを入力する音声データ入力部１６および音声データ入力部１６に入力された音声データを音声により出力する音声出力部１９をそれぞれ具備する。【選択図】図１
2004254135.tif 000002
【特許請求の範囲】
【請求項１】
それぞれ伝送線を介して複数の監視端末器および複数の制御端末器を接続しているとともに、汎用ネットワークを介して互いに接続されている複数の中央制御装置と；
音声を入力し、この音声を音声データに変換する音声入力部および音声データを音声により出力する音声出力部を有する音声入出力手段と；
それぞれ音声入出力手段および汎用ネットワークに接続され、音声入力部に入力された音声の音声データをＶｏＩＰプロトコルにより汎用ネットワークに出力する音声データ出力部および汎用ネットワークからＶｏＩＰプロトコルによる音声データを入力して音声出力部に送出する音声データ入力部を有する第１および第２の音声通信手段と；
を具備していることを特徴とする照明制御監視システム。
【請求項２】
それぞれ伝送線を介して複数の監視端末器および複数の制御端末器を接続している複数の中央制御装置と；
音声を入力し、この音声を音声データに変換する音声入力部および音声データを音声により出力する音声出力部を有する音声入出力手段と、この音声入出力手段に接続され、音声入力部に入力された音声の音声データをＶｏＩＰプロトコルにより汎用ネットワークに出力する音声データ出力部および汎用ネットワークからＶｏＩＰプロトコルによる音声データを入力して音声出力部に送出する音声データ入力部を有する第１の音声通信手段を備え、汎用ネットワークを介して複数の中央制御装置に接続され制御端末器を制御可能な監視装置と；
音声を入力し、この音声を音声データに変換する音声入力部および音声データを音声により出力する音声出力部を有する音声入出力手段と、この音声入出力手段に接続され、音声入力部に入力された音声の音声データをＶｏＩＰプロトコルにより汎用ネットワークに出力する音声データ出力部および汎用ネットワークからＶｏＩＰプロトコルによる音声データを入力して音声出力部に送出する音声データ入力部を有する第２の音声通信手段を備え、汎用ネットワークに着脱可能に接続されるパーソナルコンピュータと；
を具備していることを特徴とする照明制御監視システム。
【請求項３】
監視装置およびパーソナルコンピュータの少なくとも一方は、映像を入力する映像入力部、映像入力部に入力された映像の映像データをＶｏＩＰプロトコルにより汎用ネットワークに出力する映像データ出力部を有し、少なくとも他方は、汎用ネットワークからＶｏＩＰプロトコルによる映像データを入力する映像データ入力部および映像データ入力部に入力された映像データを映像により出力する映像出力部を具備していることを特徴とする請求項２記載の照明制御監視システム。
【請求項４】
パーソナルコンピュータは、インターネット閲覧ソフトウェアを用いて監視装置を操作可能に形成されていることを特徴とする請求項２または３記載の照明制御監視システム。
【請求項５】
それぞれ伝送線を介して複数の監視端末器および複数の制御端末器を接続している複数の中央制御装置と；
汎用ネットワークからＶｏＩＰプロトコルによる音声データを入力する音声データ入力部、当該音声データから制御端末器の制御データを演算生成する制御部および当該制御データを出力するデータ出力部を備え、汎用ネットワークを介して複数の中央制御装置に接続され制御端末器を制御可能な監視装置と；
音声を入力し、この音声を音声データに変換する音声入力部および当該音声データをＶｏＩＰプロトコルにより汎用ネットワークに出力する音声データ出力部を備え、汎用ネットワークに着脱可能に接続されるパーソナルコンピュータと；
を具備していることを特徴とする照明制御監視システム。
【発明の詳細な説明】
【０００１】
【発明の属する技術分野】本発明は、監視装置から出力される制御データにより制御端末器を制御可能な照明制御監視システムに関する。
【０００２】
【従来の技術】ホストコンピュータ（監視装置）に汎用ネットワークを介して複数の中央制御装置が接続され、それぞれの中央制御装置に別の汎用ネットワークを介して制御端末器および監視端末器が接続された照明制御監視システムが提案されている（例えば、特許文献１または特許文献２参照。）。このような照明制御監視システムにおいて、中央制御装置は、監視端末器での操作や自己に設定されたタイムスケジュールなどに応じた制御端末器の制御（照明制御）を行うことができる。また、ホストコンピュータから制御端末器の制御データを送出することにより、ホストコンピュータにおいて制御端末器を制御することができる。
【０００３】
ところで、上述のような照明制御監視システムは、設置当初、監視端末器、中央制御装置およびホストコンピュータなどからの照明制御に対する所定の制御端末器の制御動作および監視端末器の監視動作などの調整が行われる。ここで、ホストコンピュータからの照明制御に対する制御端末器および監視端末器などの動作の確認および調整を行うとき、ホストコンピュータは制御端末器および監視端末器などから遠隔の場所（部屋）に設置されているので、ホストコンピュータの設置箇所、制御端末器および監視端末器などの配設箇所にそれぞれ人が配置されることになる。そして、トランシーバや携帯電話などによる通話で互いに連絡を取り合って、ホストコンピュータからの照明制御に対する制御端末器および監視端末器などの動作の確認および調整が行われている。
【０００４】
【特許文献１】特開平７−３２２３６２号公報（第３頁、第１図）
【０００５】
【特許文献２】特開２０００−５０３６７号公報（第７−８頁、第１図）
【０００６】
【発明が解決しようとする課題】トランシーバや携帯電話により互いの連絡を取り合うと、電波が届きにくいと聞きづらく、場合によっては電波の届く場所まで移動する必要があった。また、携帯電話を用いると、通話料がかかり、コストアップの要因となるという欠点を有する。また、ホストコンピュータ、制御端末器および監視端末器などの調整箇所にそれぞれ人を配置するので、人件費アップの要因となるという欠点を有する。
【０００７】
本発明は、音声により監視装置と通話可能または監視装置を制御可能な照明制御監視システムを提供することを目的とする。
【０００８】
【課題を解決するための手段】請求項１に記載の照明制御監視システムの発明は、それぞれ伝送線を介して複数の監視端末器および複数の制御端末器を接続しているとともに、汎用ネットワークを介して互いに接続されている複数の中央制御装置と；音声を入力し、この音声を音声データに変換する音声入力部および音声データを音声により出力する音声出力部を有する音声入出力手段と；それぞれ音声入出力手段および汎用ネットワークに接続され、音声入力部に入力された音声の音声データをＶｏＩＰプロトコルにより汎用ネットワークに出力する音声データ出力部および汎用ネットワークからＶｏＩＰプロトコルによる音声データを入力して音声出力部に送出する音声データ入力部を有する第１および第２の音声通信手段と；を具備していることを特徴とする。
【０００９】
本発明および以下の各発明において、特に言及しない限り、各構成は以下による。
【００１０】
伝送線は、中央制御装置と監視端末器および制御端末器との間を接続するものであり、中央制御装置は、この伝送線に接続された監視端末器および制御端末器を監視制御するものである。
【００１１】
監視端末器は、例えば、オンオフスイッチやセンサ入力用端末器等を備えたものであり、制御端末器は、接続された照明用ランプを点灯制御するものまたは制御用の信号を送出するものである。また、監視端末器および制御端末器は、それぞれ調光制御機能を備えた調光用監視端末器および調光用制御端末器であってもよい。
【００１２】
音声入力部は、例えばマイクが具備され、音声出力部は、例えばスピーカが具備されている。このマイクおよびスピーカは、内蔵されていてもよく、外部装置であってもよい。また、音声入力部および音声出力部は、一体的であってもよく、別体であってもよい。
【００１３】
第１の音声通信手段に接続されている音声入力部において発声した音声は、汎用ネットワークを介して第２の音声通信手段に伝送され、第２の音声通信手段に接続されている音声出力部から発声される。一方、第２の音声通信手段に接続されている音声入力部において発声した音声は、汎用ネットワークを介して第１の音声通信手段に伝送され、第１の音声通信手段に接続されている音声出力部から発声される。すなわち、第１および第２の音声通信手段に接続されている音声入出力手段において、双方向に音声による通話が可能となっている。
【００１４】
ＶｏＩＰプロトコルは、音声入出力手段の音声入力部に入力された音声の音声データを汎用ネットワークで伝送可能にさせる。
【００１５】
汎用ネットワークから音声データ入力部に入力されたＶｏＩＰプロトコルによる音声データは、音声出力部に伝送可能な音声データに演算生成（変換）されて、音声出力部に送出される。
【００１６】
本発明によれば、それぞれ音声入出力手段を接続している第１および第２の音声通信手段を汎用ネットワークに接続することにより、それぞれの音声入出力手段が汎用ネットワークを介して双方向に音声で通話可能となるので、通話をしながら中央制御装置からの照明制御に対する制御端末器や監視端末器などの動作の確認および調整が行える。
【００１７】
請求項２に記載の照明制御監視システムの発明は、それぞれ伝送線を介して複数の監視端末器および複数の制御端末器を接続している複数の中央制御装置と；音声を入力し、この音声を音声データに変換する音声入力部および音声データを音声により出力する音声出力部を有する音声入出力手段と、この音声入出力手段に接続され、音声入力部に入力された音声の音声データをＶｏＩＰプロトコルにより汎用ネットワークに出力する音声データ出力部および汎用ネットワークからＶｏＩＰプロトコルによる音声データを入力して音声出力部に送出する音声データ入力部を有する第１の音声通信手段を備え、汎用ネットワークを介して複数の中央制御装置に接続され制御端末器を制御可能な監視装置と；音声を入力し、この音声を音声データに変換する音声入力部および音声データを音声により出力する音声出力部を有する音声入出力手段と、この音声入出力手段に接続され、音声入力部に入力された音声の音声データをＶｏＩＰプロトコルにより汎用ネットワークに出力する音声データ出力部および汎用ネットワークからＶｏＩＰプロトコルによる音声データを入力して音声出力部に送出する音声データ入力部を有する第２の音声通信手段を備え、汎用ネットワークに着脱可能に接続されるパーソナルコンピュータと；を具備していることを特徴とする。
【００１８】
監視装置において発声した音声は、汎用ネットワークを介してパーソナルコンピュータに伝送され、パーソナルコンピュータの音声出力部から発声される。一方、パーソナルコンピュータにおいて発声した音声は、汎用ネットワークを介して監視装置に伝送され、監視装置の音声出力部から発声される。すなわち、監視装置およびパーソナルコンピュータは、双方向に音声による通話が可能となっている。
【００１９】
ＶｏＩＰプロトコルは、監視装置およびパーソナルコンピュータのそれぞれの音声入力部に入力された音声の音声データを汎用ネットワークで伝送可能にさせる。
【００２０】
本発明によれば、汎用ネットワークにパーソナルコンピュータを接続することにより、監視装置およびパーソナルコンピュータが汎用ネットワークを介して双方向に音声で通話可能となるので、監視装置およびパーソナルコンピュータにおいて、通話をしながら監視装置からの照明制御に対する制御端末器や監視端末器などの動作の確認および調整が行える。
【００２１】
請求項３に記載の照明制御監視システムの発明は、請求項２または３記載の照明制御監視システムにおいて、監視装置およびパーソナルコンピュータの少なくとも一方は、映像を入力する映像入力部、映像入力部に入力された映像の映像データをＶｏＩＰプロトコルにより汎用ネットワークに出力する映像データ出力部を有し、少なくとも他方は、汎用ネットワークからＶｏＩＰプロトコルによる映像データを入力する映像データ入力部および映像データ入力部に入力された映像データを映像により出力する映像出力部を具備していることを特徴とする。
【００２２】
映像入力部は、例えばカメラが具備され、映像出力部は、例えばモニターが具備されている。このカメラおよびモニターは、内蔵されていてもよく、外部装置であってもよい。
【００２３】
本発明によれば、監視装置およびパーソナルコンピュータにおいて、映像を目視し、かつ通話をしながら監視装置からの照明制御に対する制御端末器や監視端末器などの動作の確認および調整が行える。また、監視装置は、遠隔地に設置されているメーカー側の監視用パーソナルコンピュータと専用ネットワーク回線で接続可能であり、ＶｏＩＰプロトコルにより映像および音声で異常状態に対する情報交換のやり取りも可能であるので、照明制御監視システムが異常状態となったときに、異常状態に対するメーカー側の対応が迅速化される。
【００２４】
請求項４に記載の照明制御監視システムの発明は、請求項２または３記載の照明制御監視システムにおいて、パーソナルコンピュータは、インターネット閲覧ソフトウェアを用いて監視装置を操作可能に形成されていることを特徴とする。
【００２５】
「監視装置を操作可能に」とは、監視装置からの制御端末器の制御および監視端末器の監視などをパーソナルコンピュータから行えることを意味する。パーソナルコンピュータは、例えば監視装置に格納されているプログラムをダウンロードして、このプログラムをインターネット閲覧ソフトウェア上で起動して監視装置の操作を擬似的に行うものである。
【００２６】
本発明によれば、パーソナルコンピュータにおいて、監視装置からの照明制御を行わせて制御端末器や監視端末器などの動作の確認および調整が行えるので、一人で実行可能であり、人件費が低減される。
【００２７】
請求項５に記載の照明制御監視システムの発明は、それぞれ伝送線を介して複数の監視端末器および複数の制御端末器を接続している複数の中央制御装置と；汎用ネットワークからＶｏＩＰプロトコルによる音声データを入力する音声データ入力部、当該音声データから制御端末器の制御データを演算生成する制御部および当該制御データを出力するデータ出力部を備え、汎用ネットワークを介して複数の中央制御装置に接続され制御端末器を制御可能な監視装置と；音声を入力し、この音声を音声データに変換する音声入力部および当該音声データをＶｏＩＰプロトコルにより汎用ネットワークに出力する音声データ出力部を備え、汎用ネットワークに着脱可能に接続されるパーソナルコンピュータと；を具備していることを特徴とする。
【００２８】
パーソナルコンピュータにおいて発声した音声は、汎用ネットワークを介して監視装置に伝送され、制御部で制御端末器を制御する制御データに変換される。当該制御データは、データ出力部から制御端末器に伝送され、アドレスが一致する制御端末器を制御する。すなわち、パーソナルコンピュータから音声により特定の制御端末器が制御される。
【００２９】
本発明によれば、制御端末器近くの汎用ネットワークにパーソナルコンピュータを接続し、パーソナルコンピュータから音声により特定の制御端末器が制御可能であるので、パーソナルコンピュータにおいて、監視装置からの照明制御に対する制御端末器などの動作の確認および調整が行える。そして、一人で実行可能であるので、人件費が低減される。
【００３０】
【発明の実施の形態】以下、本発明の一実施の形態について、図面を参照して説明する。まず、本発明の第１の実施形態について説明する。
【００３１】
図１〜図３は、本発明の第１の実施形態を示し、図１は照明制御監視システムのブロック図、図２は中央制御装置のブロック図、図３は統合監視装置のブロック図である。図中、１は照明制御監視システム、２は中央制御装置、３は監視装置としての統合監視装置、４はパーソナルコンピュータである。
【００３２】
図１において、照明制御監視システム１は、複数の中央制御装置２を有しており、中央制御装置２は、例えば照明ゾーン毎に一台設置され、それぞれ伝送線５を介して複数の監視端末器６および複数の制御端末器７を接続している。そして、統合監視装置３は、ハブ８および汎用ネットワーク（例えば、ＬＡＮ）９を介して複数の中央制御装置２に接続されている。ここで、汎用ネットワーク９を伝送する伝送データの伝送速度は、伝送線５を伝送する伝送データの伝送速度以上となっている。
【００３３】
中央制御装置２は、伝送線５に接続された監視端末器６および制御端末器７を介して照明用ランプ（図示しない。）を監視制御する。統合監視装置３は、システム全体を統括管理するものであり、中央制御装置２との間で標準化された通信プロトコルにより通信するように構成され、照明用ランプを監視制御する。また、統合監視装置３は、建物の空調設備やエレベータなどを監視制御する。
【００３４】
伝送線５は、複極（±２４Ｖ）の時分割多重信号で示されたデータを送受信する伝送線である。
【００３５】
監視端末器６は、例えば、オンオフ操作に応じて出力信号を生成する信号出力機能を備えたスイッチや光センサの検出信号に応じて出力信号を生成する信号出力機能を備えたセンサ入力用端末器等であり、調光制御機能を有する監視端末器も包含される。また、制御端末器７は、調光制御機能を有する制御端末器も包含され、接続された照明用ランプを点灯制御する。
【００３６】
そして、中央制御装置２は、図２に示すように、電源部１０、通信インターフェース（Ｉ／Ｆ）部１１、伝送インターフェース（Ｉ／Ｆ）部１２、不揮発性メモリ１３および制御部１４を有して構成されている。
【００３７】
電源部１０は、図示しない外部電源から交流電圧が入力され、交流電圧を直流電圧に変換するとともに、所定の電圧値に調整して制御部１４などの各構成部に駆動電源を供給するように構成されている。
【００３８】
通信インターフェース（Ｉ／Ｆ）部１１は、ハブ８および汎用ネットワーク９を介して統合監視装置３に接続され、統合監視装置３との間で標準化された通信プロトコルにより、伝送データの通信を行うものである。また、伝送インターフェース（Ｉ／Ｆ）部１２は、伝送線５を介して監視端末器６および制御端末器７に接続され、制御部１４で演算生成されたモード、アドレスおよび制御データを含む伝送データを制御端末器７に送出し、監視端末器６から送信されたモード、アドレスおよび監視データを含む伝送データを受信して制御部１４に送出するものである。
【００３９】
不揮発性メモリ１３は、自己のアドレス、監視端末器６および制御端末器７のアドレス、外部設定器（図示しない。）などで設定された制御端末器７の点灯パターンの割付データおよび監視端末器８に対する制御端末器７の割付データなどの各種設定データを記憶するように構成されている。
【００４０】
制御部１４は、マイコンを有して構成され、統合監視装置３から送出された伝送データを伝送線５で伝送し、監視端末器６および制御端末器７を制御監視可能な送信データに変換するとともに、監視端末器６および制御端末器７から送信された送信データを汎用ネットワーク９で統合監視装置３に伝送可能な伝送データに変換するように構成されている。伝送データは、伝送データの始まりを示すスタート部、制御や監視などを示すモード部、監視端末器６および制御端末器７の伝送先を示すアドレス部、制御値を示す制御データ部および監視応答値を示す応答データ部などを有して形成されている。
【００４１】
そして、統合監視装置３は、図３に示すように、データ出力部１５、データ入力部１６、画面操作部１７、音声入力部１８、音声出力部１９、音声解析部２０、映像入力部２１、映像出力部２２、映像解析部２３、制御部２４および記憶部２５を有して構成されている。
【００４２】
データ出力部１５は、汎用ネットワーク９に制御データ、監視データ、音声データおよび映像データなどを出力（送信）するように形成され、データ入力部１６は、汎用ネットワーク９から制御データ、監視データ、音声データおよび映像データなどを入力（受信）するように形成されている。すなわち、データ出力部１５は、音声データ出力部および映像データ出力部を構成しており、データ入力部１６は、音声データ入力部および映像データ入力部を構成している。そして、音声データ出力部および音声データ入力部は、第１の音声通信手段を構成しているものである。
【００４３】
画面操作部１７は、例えばキーボードからなり、画面に文字や画像などを手動操作により表示させるものである。画面操作部１７の操作により、統合監視装置３からの制御データや監視データなどが生成可能であり、制御端末器７および監視端末器６が制御、監視される。
【００４４】
音声入力部１８は、図示しないマイクから音声を入力し、この音声を音声データに変換するように、音声出力部１９は、音声データを図示しないスピーカから音声により出力するように構成されている。音声解析部２０は、音声の入力または出力を判別し、音声入力部１８に入力された音声の音声データ（音声信号）を制御部２４に送出するとともに、制御部２４から送出された音声データ（音声信号）が音声出力部１９から音声として出力されるようにそれぞれ解析するものである。そして、音声入力部１８および音声出力部１９は、音声入出力手段を構成している。
【００４５】
映像入力部２１は、図示しないカメラから映像を入力するように、映像出力部２２は、図示しないモニターに映像を出力するように構成されている。映像解析部２３は、映像の入力または出力を判別し、映像入力部２１に入力された映像を映像信号に変換して制御部２４に送出するとともに、制御部２４から送出された映像信号が映像出力部２２から映像として出力されるようにそれぞれ解析するものである。
【００４６】
制御部２４は、ＣＰＵ、ＲＡＭおよびプログラムが格納されたＲＯＭなどを有して構成されている。そして、画面操作部１７の操作などに応じて、汎用ネットワーク９において伝送可能な監視データや制御データなどを演算生成してデータ出力部１５から汎用ネットワーク９に出力させる。また、汎用ネットワーク９からデータ入力部１６に入力された制御データなどの諸データを統合監視装置３内に伝送可能な伝送信号に演算し、例えばモニター（画面）に表示させるものである。
【００４７】
また、制御部２４は、音声入力部１８に入力され、音声解析部２０から送出された音声データをデータ出力部（音声データ出力部）１５からＶｏＩＰプロトコルにより汎用ネットワーク９に出力させるものである。また、汎用ネットワーク９からデータ入力部（音声データ入力部）１６にＶｏＩＰプロトコルにより入力された音声データをデータ変換して、音声解析部２０に送出するものである。音声解析部２０に送出された音声データは、音声出力部１９から音声として出力される。
【００４８】
また、制御部２４は、映像入力部２１に入力され、映像解析部２３から送出された映像データをデータ出力部（映像データ出力部）１５からＶｏＩＰプロトコルにより汎用ネットワーク９に出力させる。また、汎用ネットワーク９からデータ入力部（映像データ入力部）１６にＶｏＩＰプロトコルにより入力された映像データをデータ変換して、映像解析部２３に送出する。映像解析部２３に送出された映像データは、映像出力部２２から映像として出力され、モニターに表示される。ＶｏＩＰプロトコルは、音声データまたは映像データを伝送データに重畳して汎用ネットワーク９に伝送させるものである。
【００４９】
記憶部２５は、音声データに対する制御データまたは監視データなどの諸データを記憶するように構成されている。
【００５０】
そして、図１において、パーソナルコンピュータ４は、中央制御装置２の近くに設けたハブ８を介して汎用ネットワーク９に着脱可能に接続され、周知の構成および機能を有していると共に、さらに図３に示す統合監視装置３と同様に構成されている。すなわち、パーソナルコンピュータ４で発した音声は、音声入力部に入力されてデータ出力部（音声データ出力部）からＶｏＩＰプロトコルにより汎用ネットワーク９に出力される。このＶｏＩＰプロトコルによる音声データは、汎用ネットワーク９から統合監視装置３のデータ入力部（音声データ入力部）１６に入力される。一方、統合監視装置３のデータ出力部（音声データ出力部）１５から汎用ネットワーク９に出力されたＶｏＩＰプロトコルによる音声データは、汎用ネットワーク９からパーソナルコンピュータ４のデータ入力部（音声データ入力部）に入力されて、音声出力部から音声として出力される。そして、映像に対しても、音声と同様である。
【００５１】
なお、パーソナルコンピュータ４の音声入力部および音声出力部は、音声入出力手段を構成し、音声データ出力部および音声データ入力部は、第２の音声通信手段を構成しているものである。
【００５２】
上述したように、汎用ネットワーク９上に伝送される伝送データにＶｏＩＰプロトコルにより音声データおよび映像データを重畳させて伝送可能にしているので、統合監視装置３およびパーソナルコンピュータ４において、通話が可能であり、映像が目視可能である。
【００５３】
次に、本発明の第１の実施形態の作用について述べる。
【００５４】
通常、中央制御装置２は、各照明領域に１台ずつ配置され、統合監視装置３は、中央制御装置２から遠隔の部屋に設置される。そして、照明制御監視システム１を設置したときに、統合監視装置３から中央制御装置２に伝送される制御データまたは監視データなどに基づいて、所定の制御端末器７の制御または監視端末器６の監視のそれぞれの動作が行われるか否かの確認がなされる。所定の前記動作が行われないとき、アドレスの変更などの設定データの調整が行われる。
【００５５】
このとき、中央制御装置２の近くの汎用ネットワーク９にハブ８を設け、このハブ８にパーソナルコンピュータ４が接続される。パーソナルコンピュータ４が中央制御装置２の近くに接続されることにより、制御端末器７の制御または監視端末器６の監視のそれぞれの動作が目視により容易に確認される。
【００５６】
そして、統合監視装置３およびパーソナルコンピュータ４は、双方向に音声による通話が可能であるので、例えばパーソナルコンピュータ４側で音声により特定の制御端末器７または監視端末器６を指定し、その音声による指示を統合監視装置３側で受けて、当該制御端末器７または監視端末器６に対する制御データまたは監視データを統合監視装置３から伝送することにより、制御データまたは監視データに対する制御端末器７の制御または監視端末器６の監視の動作状態が確認される。そして、制御データまたは監視データに対する制御端末器７の制御または監視端末器６の監視の動作が一致しないときは、中央制御装置２側から統合監視装置３側へ音声で直ちに通知されるので、その後の調整が迅速化される。
【００５７】
また、例えば統合監視装置３から伝送された制御データまたは監視データに対する制御端末器７の制御または監視端末器６の監視の動作状態の映像を中央制御装置２側から統合監視装置３側へ送信することにより、当該確認および調整が容易に行える。また、統合監視装置３およびパーソナルコンピュータ４において、互いに映像を目視して通話をすることにより、前記動作の確認および調整に対する信頼性が向上される。
【００５８】
そして、１つの中央制御装置２に対して前記動作の確認および調整を終えた後に、次の中央制御装置２の近くの汎用ネットワーク９にハブ８を設け、このハブ８にパーソナルコンピュータ４が接続される。以下、上述が繰り返されて、照明制御監視システム１の動作の確認および調整が行われる。
【００５９】
なお、図１において、中央制御装置２が他の中央制御装置２に接続されている監視端末器６および制御端末器７を監視制御可能であるとき、中央制御装置２は汎用ネットワーク９を介して互いに接続されているので、中央制御装置２，２の近くの汎用ネットワーク９にハブ８を設け、図３において説明した音声入出力手段を接続している第１および第２の音声通信手段をそれぞれ汎用ネットワーク９に接続することにより、それぞれの音声入出力手段が汎用ネットワーク９を介して双方向に音声で通話可能となる。したがって、通話をしながら中央制御装置２からの照明制御に対する他の中央制御装置２に接続されている制御端末器７や監視端末器６などの動作の確認および調整が行える。
【００６０】
次に、本発明の第２の実施形態について述べる。
【００６１】
図４は、本発明の第２の実施形態示す照明制御監視システムのブロック図である。なお、図１〜図３と同一部分には同一符号を付して説明は省略する。
【００６２】
図４に示す照明制御監視システム２６は、図１に示す照明制御監視システム１において、パーソナルコンピュータ４は、遠隔地に設置されているものであり、電話回線やインターネットなどの公共回線あるいは専用回線２７を介して、さらに汎用ネットワーク９およびハブ８を介して統合監視装置３に接続されているものである。ここで、パーソナルコンピュータ４が設置されている遠隔地とは、例えば照明制御監視システム１のメーカーや代理店あるいはサービス会社の建物である。
【００６３】
照明制御監視システム２６は、システムが異常状態となったときに、統合監視装置３から遠隔地のパーソナルコンピュータ４との間で映像および音声で異常状態に対する情報を互いに通知可能である。したがって、照明制御監視システム２６の異常状態に対するメーカー側の対応が迅速化される。
【００６４】
次に、本発明の第３の実施形態について述べる。
【００６５】
図５は、本発明の第３の実施形態示す照明制御監視システムのブロック図である。なお、図１〜図３と同一部分には同一符号を付して説明は省略する。
【００６６】
図５に示す照明制御監視システム２８は、図１に示す照明制御監視システム１において、パーソナルコンピュータ４の制御部のＲＯＭにインターネット閲覧ソフトウェアが具備されているものである。そして、キーボードの操作により、インターネット閲覧ソフトウェアを用いて統合監視装置３からプログラムをダウンロードするものである。そして、パーソナルコンピュータ４においてダウンロードしたプログラムをインターネット閲覧ソフトウェア上で動作させ、キーボードの操作により、統合監視装置３を擬似的に操作して制御端末器７の制御または監視端末器６の監視などの動作を行うものである。
【００６７】
パーソナルコンピュータ４は、中央制御装置２の近くの汎用ネットワーク９に接続されているので、制御端末器７の制御状態または監視端末器６の監視状態などが目視される。そして、制御状態または監視状態の確認を行いたい制御端末器７または監視端末器６に対して、パーソナルコンピュータ４側から制御端末器７の制御または監視端末器６の監視に対する操作を行うと、ダウンロードしたプログラムに基づいて、統合監視装置３から制御データまたは監視データが送出される。この制御データまたは監視データにより、制御端末器７の制御または監視端末器６の監視の動作が行われる。
【００６８】
照明制御監視システム２８は、パーソナルコンピュータ４から統合監視装置３の操作を行えるので、制御端末器７の制御または監視端末器６の監視などの動作の確認および調整が一人で実行可能であり、人件費が低減される。
【００６９】
次に、本発明の第４の実施形態について述べる。
【００７０】
図６は、本発明の第４の実施形態示す照明制御監視システムのブロック図である。なお、図１〜図３と同一部分には同一符号を付して説明は省略する。
【００７１】
図６に示す照明制御監視システム２９は、図１に示す照明制御監視システム１において、統合監視装置３がパーソナルコンピータ４からの音声データに応じて制御データまたは監視データなどを汎用ネットワーク９に出力するように構成されている。すなわち、統合監視装置３の記憶部２５には、音声データに対する制御データまたは監視データなどが記憶されている。そして、制御部２４は、データ入力部（音声データ入力部）１６から音声データが入力されると、記憶部２５から当該音声データに対する制御データまたは監視データなどを読み出し、汎用ネットワーク９に伝送可能な伝送データに変換して、データ出力部１５から汎用ネットワーク９に出力させる。なお、音声データが通話ではなく、制御データまたは監視データなどの要求であることを通知する音声制御の要求データが前もってパーソナルコンピュータ４から統合監視装置３へ出力される。また、音声データによる制御データまたは監視データなどの要求を解除するときには、パーソナルコンピュータ４から統合監視装置３へ音声制御の解除データが出力される。
【００７２】
図６において、例えば中央制御装置２ａに伝送線５を介して接続されている制御端末器７ａの照明用ランプを点灯させたいとき、パーソナルコンピュータ４において、例えば「制御端末器７ａのランプ点灯」と発声する。すると、当該音声は、パーソナルコンピュータ４の音声入力部に入力されて音声データに変換され、データ出力部（音声データ出力部）からＶｏＩＰプロトコルにより汎用ネットワーク９に出力される。
【００７３】
統合監視装置３のデータ入力部（音声データ入力部）１６は、汎用ネットワーク９から前記音声データを入力して、制御部２４に送出する。制御部２４は、音声データを認識して、記憶部２５からランプ点灯の制御データを読み出し、当該制御データを制御端末器７ａのアドレスとともに伝送データに変換して、データ出力部１５から汎用ネットワーク９に出力させる。
【００７４】
統合監視装置３から出力された前記伝送データは、中央制御装置２ａでデータ変換され、アドレスが一致する制御端末器７ａに伝送される。そして、制御データにより、制御端末器７ａの照明用ランプが点灯される。
【００７５】
このように、パーソナルコンピュータ４において音声により特定の制御端末器７を制御させることができるように構成されている。また、監視端末器６に対しても、同様に、パーソナルコンピュータ４において音声により監視動作させることができるものである。そして、音声により、制御端末器７の制御または監視端末器６の監視の動作を行えるので、手間を要しない。また、パーソナルコンピュータ４側において、統合監視装置３からの監視端末器６の監視または制御端末器７の制御などの動作の確認および調整を一人で実行可能であるので、人件費が低減される。
【００７６】
なお、図６において、パーソナルコンピュータ４は、中央制御装置２ａの遠隔の場所に設置している中央制御装置２ｃの近くの汎用ネットワーク９に接続されているが、汎用ネットワークケーブル３０により、パーソナルコンピュータ４を中央制御装置２ａの監視端末器６または制御端末器７の近くに位置させればよいものである。すなわち、パーソナルコンピュータ４は、汎用ネットワーク９に着脱可能に接続されていれば、その接続位置は問わないものである。
【００７７】
【発明の効果】請求項１の発明によれば、それぞれ音声入出力手段を接続している第１および第２の音声通信手段を汎用ネットワークに接続することにより、それぞれの音声入出力手段が汎用ネットワークを介して双方向に音声で通話可能となるので、通話をしながら中央制御装置からの照明制御に対する制御端末器や監視端末器などの動作の確認および調整を行うことができる。
【００７８】
請求項２の発明によれば、制御端末器および監視端末器の近くの汎用ネットワークにパーソナルコンピュータを接続することにより、監視装置およびパーソナルコンピュータが汎用ネットワークを介して双方向に音声で通話可能となるので、監視装置およびパーソナルコンピュータにおいて、通話をしながら監視装置からの照明制御に対する制御端末器や監視端末器などの動作の確認および調整を行うことができる。
【００７９】
請求項３の発明によれば、監視装置およびパーソナルコンピュータにおいて、映像を目視し、かつ通話をしながら統合監視装置からの照明制御に対する制御端末器や監視端末器などの動作の確認および調整を行うことができる。また、照明制御監視システムが異常状態となったときに、監視装置は、遠隔地のメーカー側のパーソナルコンピュータとの間で映像および音声で異常状態に対する情報交換のやり取りが可能であるので、異常状態に対するメーカー側の対応を迅速に行うことができる。
【００８０】
請求項４の発明によれば、パーソナルコンピュータにおいて、監視装置からの照明制御を行わせて制御端末器や監視端末器などの動作の確認および調整が行えるので、一人で実行可能であり、人件費を低減することができる。
【００８１】
請求項５の発明によれば、制御端末器近くの汎用ネットワークにパーソナルコンピュータを接続し、パーソナルコンピュータから音声により特定の制御端末器が制御可能であるので、パーソナルコンピュータにおいて、監視装置からの照明制御に対する制御端末器などの動作の確認および調整を行うことができ、かつ一人で実行可能であるので、人件費を低減することができる。
【図面の簡単な説明】
【図１】本発明の第１の実施形態を示す照明制御監視システムのブロック図。
【図２】同じく、中央制御装置のブロック図。
【図３】同じく、統合監視装置のブロック図。
【図４】本発明の第２の実施形態を示す照明制御監視システムのブロック図。
【図５】本発明の第３の実施形態を示す照明制御監視システムのブロック図。
【図６】本発明の第４の実施形態を示す照明制御監視システムのブロック図。
【符号の説明】
１…照明制御監視システム、２…中央制御装置、３…監視装置としての統合監視装置、４…パーソナルコンピュータ、１５…第１の音声通信手段を構成する音声データ出力部、１６…第１の音声通信手段を構成する音声データ入力部、１８…音声入出力手段を構成する音声入力部、１９…音声入出力手段を構成する音声出力部
【図１】
2004254135.tif 000003
【図２】
2004254135.tif 000004
【図３】
2004254135.tif 000005
【図４】
2004254135.tif 000006
【図５】
2004254135.tif 000007
【図６】
2004254135.tif 000008